(57)【特許請求の範囲】
【請求項１】
廃棄物を埋設することができるように、底面が平坦な廃棄物埋設凹部を造成する造成工程と、この造成工程で造成された廃棄物埋設凹部内に廃棄物を収納して、密閉した通気防水シートで立方体や長方体に形成された廃棄物コンテナを並列状態で、該廃棄物埋設凹部の下部をすべて覆うように埋設する廃棄物コンテナの埋設工程と、この廃棄物コンテナの埋設工程後に埋設されたすべての廃棄物コンテナ上を覆うように、遮水シート等で雨水導水基盤を設置する雨水導水基盤の設置工程と、この雨水導水基盤の設置工程後に前記廃棄物コンテナの埋設工程と同様な廃棄物コンテナの埋設工程および、前記雨水導水基盤の設置工程と同様な雨水導水基盤の設置工程を少なくとも１回以上行なう積み重ね工程とを含むことを特徴とする廃棄物の処理方法。
【請求項２】
廃棄物を埋設することができるように底面が平坦で、側壁が傾斜面の廃棄物埋設凹部を造成する造成工程と、この造成工程で造成された廃棄物埋設凹部内に廃棄物を収納して、密閉した通気防水シートで立方体や長方体に形成された廃棄物コンテナを並列状態で、該廃棄物埋設凹部の下部をすべて覆うように埋設する廃棄物コンテナの埋設工程と、この廃棄物コンテナの埋設工程後に、該埋設された廃棄物コンテナの外周部に雨水排水管を設置する雨水排水管の設置工程と、前記廃棄物コンテナの埋設工程後に埋設されたすべての廃棄物コンテナ上を覆うように、遮水シート等で雨水導水基盤を設置する雨水導水基盤の設置工程と、この雨水導水基盤の設置工程後に前記廃棄物コンテナの埋設工程、前記雨水排水管の設置工程および前記雨水導水基盤の設置工程と同様な廃棄物コンテナの埋設工程、雨水排水管の設置工程および雨水導水基盤の設置工程を少なくとも１回以上行なう積み重ね工程と、前記廃棄物埋設凹部内のガスを排気するため、廃棄物コンテナの外周部にガス抜き管を設置するガス抜き管の設置工程とを含むことを特徴とする廃棄物の処理方法。
【請求項３】
廃棄物を埋設することができるように、底面が平坦な廃棄物埋設凹部を造成するとともに、該廃棄物埋設凹部に遮水層を形成する造成工程と、この造成工程で造成された廃棄物埋設凹部内の遮水層の上部に廃棄物を収納して、密閉した通気防水シートで立方体や長方体に形成された廃棄物コンテナを並列状態で、該廃棄物埋設凹部の下部をすべて覆うように埋設する廃棄物コンテナの埋設工程と、この廃棄物コンテナの埋設工程後に埋設されたすべての廃棄物コンテナ上を覆うように、遮水シート等で雨水導水基盤を設置する雨水導水基盤の設置工程と、この雨水導水基盤の設置工程後に前記廃棄物コンテナの埋設工程と同様な廃棄物コンテナの埋設工程および、前記雨水導水基盤の設置工程と同様な雨水導水基盤の設置工程を少なくとも１回以上行なう積み重ね工程とを含むことを特徴とする廃棄物の処理方法。
【発明の詳細な説明】
【技術分野】
【０００１】
本発明は廃棄物の処理方法に関する。
【背景技術】
【０００２】
従来、廃棄物は処分場に廃棄物を埋設できるように廃棄物埋設凹部を造成し、該凹部の底面に遮水層を設けて埋設するとともに、雨水が廃棄物と接触すると浸出水となるため、この浸出水の処理施設を設けている。
【０００３】
このため、建設コストが処分場施設と同等の浸出水の処理施設分が必要となり、コスト高になるという欠点があった。
また、浸出水の処理水が河川放流される場合、たとえ適正に浄化したとしてもその自然界への影響が起因となり、河川下流住民、漁業関係者等からの反対が顕著に現れ、計画を進められない事例があった。
浸出水排水用の調整池を設ける場合には、事業用地が大きくなるという欠点がある。
処分場の遮水層が、万一破損した場合、処理場外へ流出してしまったり、廃棄物の飛散防止にために覆土を行なうと、覆土分が廃棄物容量を減らしてしまうという欠点があった。
さらに、屋根を設けた廃棄物処分場にすると、屋根の設置費でコスト高になるとともに、作業環境の悪化防止のため換気、粉塵対策の散水が必要となり、浸出水処理施設も必要になるという欠点があった。
また、浸出水処理施設処分場の閉鎖後も排水基準になるまで、継続しなければならず、事業終了後においてもコストがかかるという欠点があった。
【特許文献１】特になし
【発明の開示】
【発明が解決しようとする課題】
【０００４】
本発明は以上のような従来の欠点に鑑み、廃棄物が雨水に接触するのを防止して、大規模な浸出水を処理する施設、屋根や覆土等が不要で、安価で、早期に処分場を廃止することができる安全な廃棄物の処理方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は廃棄物を埋設することができるように、底面が平坦な廃棄物埋設凹部を造成する造成工程と、この造成工程で造成された廃棄物埋設凹部内に廃棄物を収納して、密閉した通気防水シートで立方体や長方体に形成された廃棄物コンテナを並列状態で、該廃棄物埋設凹部の下部をすべて覆うように埋設する廃棄物コンテナの埋設工程と、この廃棄物コンテナの埋設工程後に埋設されたすべての廃棄物コンテナ上を覆うように、遮水シート等で雨水導水基盤を設置する雨水導水基盤の設置工程と、この雨水導水基盤の設置工程後に前記廃棄物コンテナの埋設工程と同様な廃棄物コンテナの埋設工程および、前記雨水導水基盤の設置工程と同様な雨水導水基盤の設置工程を少なくとも１回以上行なう積み重ね工程とで廃棄物処理方法を構成している。
【発明の効果】
【０００７】
以上の説明から明らかなように、本発明にあっては次に列挙する効果が得られる。
【０００８】
（１）廃棄物を埋設することができるように、底面が平坦な廃棄物埋設凹部を造成する造成工程と、この造成工程で造成された廃棄物埋設凹部内に廃棄物を収納して、密閉した通気防水シートで立方体や長方体に形成された廃棄物コンテナを並列状態で、該廃棄物埋設凹部の下部をすべて覆うように埋設する廃棄物コンテナの埋設工程と、この廃棄物コンテナの埋設工程後に埋設されたすべての廃棄物コンテナ上を覆うように、遮水シート等で雨水導水基盤を設置する雨水導水基盤の設置工程と、この雨水導水基盤の設置工程後に前記廃棄物コンテナの埋設工程と同様な廃棄物コンテナの埋設工程および、前記雨水導水基盤の設置工程と同様な雨水導水基盤の設置工程を少なくとも１回以上行なう積み重ね工程とからなるので、廃棄物は防水シートの廃棄物コンテナに密閉されるため、雨水が廃棄物に接触するのを確実に防止することができる。
したがって、遮水層や浸出水の処理施設が不要で、低コストで処分場を作ることができる。
【０００９】
（２）前記（１）によって、屋根を設置したり、覆土分だけ容量を減らすことなく、簡単な処理で容量いっぱいの廃棄物を処理することができる。
【００１０】
（３）前記（１）によって、廃棄物を廃棄物コンテナに密閉し、廃棄物埋設凹部に並列状態で埋設する作業でよいので、容易に実施することができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１は本発明の廃棄物の処理方法で、この廃棄物の処理方法１は廃棄物処分場となる部所に、図２に示すように廃棄物を埋設することができるように、底面が平坦で側壁が傾斜面２ａの廃棄物埋設凹部２を造成する造成工程３と、この造成工程３で造成された廃棄物埋設凹部２内に、図３に示すように廃棄物を収納して密閉した防水シートあるいは通気防水シートで立方体や長方体、本発明を実施する形態では立方体に形成された、吊りベルト４が取付けられた廃棄物コンテナ５を並列状態で、該廃棄物埋設凹部２の下部をすべて覆うように埋設する廃棄物コンテナの埋設工程６と、この廃棄物コンテナの埋設工程６後に、図４に示すように埋設されたすべての廃棄物コンテナ５上を覆うように遮水シート、ベントナイトマット、遮水材等で雨水導水基盤７を設置する雨水導水基盤の設置工程８と、前記廃棄物コンテナ埋設工程６後に図５に示すように、埋設された廃棄物コンテナ５の外周部で前記廃棄物埋設凹部２の傾斜面２ａの側壁部位に、雨水排水管９を砕石、ガス抜き層１０を形成して設置する雨水排水管の設置工程１１と、前記廃棄物コンテナの埋設工程６、前記雨水導水基盤の設置工程８および、前記雨水排水管の設置工程１１と同様な廃棄物コンテナの埋設工程６、雨水排水管の設置工程１１、雨水導水基盤の設置工程８を、図６に示すように少なくとも１回以上、本発明を実施する形態では２回行なう積み重ね工程１２と、前記廃棄物埋設凹部２内のガスを排気するため、前記廃棄物コンテナ５の外周部のガス抜き層１０に、図７に示すようにガス抜き管１３を設置するガス抜き管の設置工程１４とで構成されている。
【００１４】
前記造成工程３は従来と同様にブルドーザーやバックホー等の土木作業機械を用いて行なう。
【００１５】
前記廃棄物コンテナの埋設工程６は、廃棄物コンテナ５の吊りベルト４をクレーン１５等のフック１６に係止して吊り上げ、なるべく隙間が生じないように並列に埋設する。
また、廃棄物コンテナ５は最低限、防水できるものであれば良いので、防水シートでよいが、内部に収納した廃棄物からガスが発生する場合には通気防水シートを用いて、ガスを外部へ排出できるものや、自己修復性不織布の防水シートで、図８および図９に示すように、段ボール箱状に形成されたもので、角部は縫製加工されるとともに、吊りベルト４の上部は廃棄物コンテナ５の上部にループ状に縫着されたベルト１７で係止されている。
また、蓋１８、１８、１８、１８は防水仕様のブチルテープ、ファスナー、面ファスナー等の密閉手段１９で密閉されている。
【００１６】
上記構成の廃棄物の処理方法１は、廃棄物処分場に廃棄物埋設凹部２を形成しておき、順次廃棄物を廃棄物コンテナ５に収納して、密閉して埋設していくだけであるので、短期間に廃棄物処分場を低コストで作ることができる。
また、廃棄物に雨水が接触しないので、廃棄物処分場を浸出水で汚染させることがない。
[発明を実施するための異なる形態]
【００１７】
次に、図１０ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１０ないし図１３に示す本発明を実施するための第２の形態において、前記本発明を実施するための最良の第１の形態と主に異なる点は、ポリエチレン繊維不織布２０の両面にポリプロピレン繊維不織布２１、２１を配置した防水シートあるいは通気防水シート２２で、一方の一対の蓋片１８、１８が先端部で重なり合い、他方の一対の蓋片２３、２３は端部だけを覆えるようにした廃棄物コンテナ５Ａを用いて廃棄物コンテナの埋設工程６Ａを行なった点で、このような廃棄物コンテナの埋設工程６Ａを用いて構成した廃棄物の処理方法１Ａを行なっても、前記本発明を実施するための最良の第１の形態と同様な作用効果が得られる。
【００１９】
図１４ないし図１６に示す本発明を実施するための第３の形態において、前記本発明を実施するための最良の第１の形態と主に異なる点は、廃棄物埋設凹部２に遮水層２４を形成する造成工程３Ａを行なった点で、このような造成工程３Ａを用いて構成した廃棄物の処理方法１Ｂを行なっても、前記本発明を実施するための最良の第１の形態と同様な作用効果が得られるとともに、廃棄物処分場の汚染をより確実に防止することができる。
【００２０】
なお、前記本発明の各実施の形態では吊りベルト４が取付けられた廃棄物コンテナ５、５Ａを用いるものについて説明したが、本発明はこれに限らず、廃棄物コンテナをフォークリフト等の荷物の運搬ができるものでね運搬できる場合には
吊りベルト４のない廃棄物コンテナを用いても良い。
【産業上の利用可能性】
【００２１】
本発明は廃棄物を処分する産業で利用される。
【図面の簡単な説明】
【００２２】
【図１】本発明を実施するための最良の第１の形態の工程図。
【図２】本発明を実施するための最良の第１の形態の造成工程の説明図。
【図３】本発明を実施するための最良の第１の形態の廃棄物コンテナの埋設工程の説明図。
【図４】本発明を実施するための最良の第１の形態の雨水導水基盤の設置工程の説明図。
【図５】本発明を実施するための最良の第１の形態の雨水排水管の設置工程の説明図。
【図６】本発明を実施するための最良の第１の形態の積み重ね工程の説明図。
【図７】本発明を実施するための最良の第１の形態のガス抜き管の設置工程の説明図。
【図８】本発明を実施するための最良の第１の形態の廃棄物コンテナの説明図。
【図９】本発明を実施するための最良の第１の形態の廃棄物コンテナを密閉した状態の説明図。
【図１０】本発明を実施するための第２の形態の工程図。
【図１１】本発明を実施するための第２の形態の廃棄物コンテナの説明図。
【図１２】本発明を実施するための第２の形態の廃棄物コンテナの埋設工程の説明図。
【図１３】本発明を実施するための第２の形態の廃棄物が処理された状態の断面図。
【図１４】本発明を実施するための第３の形態の工程図。
【図１５】本発明を実施するための第３の形態の造成工程の説明図。
【図１６】本発明を実施するための第３の形態の廃棄物が処理された状態の断面図。
【符号の説明】
【００２３】
１、  、１Ａ、１Ｂ：廃棄物の処理方法、
２：廃棄物埋設凹部、    ３、３Ａ：造成工程、
４：吊りベルト、      ５、５Ａ：廃棄物コンテナ、
６、６Ａ：廃棄物コンテナの埋設工程、
７：雨水導水基盤、      ８：雨水導水基盤の設置工程、
９：雨水排水管、      １０：ガス抜き管、
１１：雨水排水管の設置工程、  １２：積み重ね工程、
１３：ガス抜き管、      １４：ガス抜き管の設置工程、
１５：クレーン、      １６：フック、
１７：ベルト、      １８：蓋、
１９：密閉手段、      ２０：ポリエチレン繊維不織布、
２１：ポリプロピレン繊維不織布、
２２：防水シートあるいは通気防水シート、
２３：蓋片、                  ２４：遮水層。
【図１】
0004759341.tif 000002
【図２】
0004759341.tif 000003
【図３】
0004759341.tif 000004
【図４】
0004759341.tif 000005
【図５】
0004759341.tif 000006
【図６】
0004759341.tif 000007
【図７】
0004759341.tif 000008
【図８】
0004759341.tif 000009
【図９】
0004759341.tif 000010
【図１０】
0004759341.tif 000011
【図１１】
0004759341.tif 000012
【図１２】
0004759341.tif 000013
【図１３】
0004759341.tif 000014
【図１４】
0004759341.tif 000015
【図１５】
0004759341.tif 000016
【図１６】
0004759341.tif 000017